(57)【要約】【課題】シャッター機構を備えたカートリッジに収容されたディスクを駆動するに際し、カートリッジのシャッターを開閉する際の衝撃音を抑制するともに、シャッター開閉を確実に実行できるようにする。【解決手段】オープナー５１〜５３は、トレイのローディング／イジェクトに応じて、カートリッジのシャッターを開閉する溝部及びギア部に係合して、シャッターの開閉を行う。各オープナー５１〜５３は、それらの背面側に付勢手段が配設されている。本発明では、その付勢手段として、樹脂製の弾性体５４〜５８を用いる。これら樹脂製の弾性体５４〜５８の硬度を最適に制御することにより、従来問題となっていた衝撃音の発生や、シャッター開閉動作の不安定性を解消し、静かで動作信頼性の高いシャッター開閉装置を備えたディスクトレイ装置を得ることができる。【選択図】図３
2006155715.tif 000002
【特許請求の範囲】
【請求項１】
シャッター機構を備えたカートリッジに収容された光ディスクを搬送するトレイと、前記カートリッジが前記トレイにセットされたときに、該トレイのローディング／イジェクト動作に応じて前記シャッター機構を開閉するためのシャッター開閉装置とを有するディスクトレイ装置であって、該シャッター開閉装置は、該カートリッジのシャッター機構が備える溝部及びギア部に係合する部材であるオープナーを有し、該オープナーは、前記溝部及びギア部が通過する通過路上で、該オープナーの一部が前記ギア部または溝部に作用する位置に設置されるとともに、前記カートリッジに対して進退する方向に変位が可能に取り付けられ、前記シャッター開閉装置は、前記カートリッジに向かって前記オープナーを付勢する付勢手段を有し、該付勢手段として、樹脂製の弾性体を用いることを特徴とするディスクトレイ装置。
【請求項２】
請求項１に記載のディスクトレイ装置において、前記オープナーは、ディスクトレイ装置のフロント側に設けられるフロント側オープナーと、ディスクトレイ装置のリア側に設けられるリア側オープナーと、前記フロント側オープナーと前記リア側オープナーとの間に設けられる中央オープナーの３つの部材から構成されていることを特徴とするディスクトレイ装置。
【請求項３】
請求項１または２に記載のディスクトレイ装置において、搬送される前記カートリッジに前記オープナーが押圧され、該オープナーが該カートリッジの反対方向に変位した後、再度前記付勢手段の付勢力により元の位置に戻るとき、前記樹脂製の弾性体の付勢力が最適化されていることにより、前記オープナーが設置される前記シャッター開閉装置の壁部との衝撃が緩和され、前記オープナーと前記壁部との衝突による音が抑制されることを特徴とするディスクトレイ装置。
【請求項４】
請求項１ないし３のいずれか１に記載のディスクトレイ装置において、前記付勢手段として、前記樹脂製の弾性体と、コイル状のバネとを併用することを特徴とするディスクトレイ装置。
【請求項５】
請求項２ないし４のいずれか１に記載のディスクトレイ装置において、一つの前記オープナーの部材に対して、前記樹脂製の弾性体を前記カートリッジの搬送方向に複数配設し、該複数の弾性体の硬度を、互いに異なるように設定することを特徴とするディスクトレイ装置。
【請求項６】
請求項５に記載のディスクトレイ装置において、前記フロント側オープナーに対して、二つの前記弾性体を配設し、該二つの弾性体のうち、フロント側の弾性体の硬度より、リア側の弾性体の硬度を大きくしたことを特徴とするディスクトレイ装置。
【請求項７】
請求項１ないし６のいずれか１に記載のディスクトレイ装置において、前記樹脂製の弾性体は、マイクロセル構造を有するウレタンフォームであることを特徴とするディスクトレイ装置。
【請求項８】
請求項１ないし７のいずれか１に記載のディスクトレイ装置を備え、該ディスクトレイ装置により搬送されるブルーレイディスクに対する情報の記録と、該ブルーレイディスクに記録された情報の再生を行うことを特徴とする記録再生装置。
【発明の詳細な説明】
【技術分野】
【０００１】
本発明は、ディスクトレイ装置及び該ディスクトレイ装置を備える記録再生装置に関し、より詳細には、ディスク型記録媒体である光ディスクを搬送して、光ディスクへの情報の書き込みや情報の読み出しを行うようにしたディスクトレイ装置と、そのディスクトレイ装置を備えた記録再生装置に関する。
【背景技術】
【０００２】
近時、ＤＶＤに比べてより大容量のデータを記憶することができる次世代光ディスクとして、波長４００ｎｍ帯の青色光源を用いたブルーレイディスク（Blu-ray Disc：登録商標  以下「ＢＤ」とも称す）、及びＨＤ  ＤＶＤ（High Definition ＤＶＤ）が発表されている。例えば、ブルーレイディスクの場合は片面単層の記録容量は２３．３ＧＢ、２５ＧＢ、２７ＧＢの３種類が規格化されており、ＨＤ  ＤＶＤの場合は片面単層の記録容量１５ＧＢのものが発表されており、２０ＧＢの仕様も検討されている。両者はいずれも記録容量が１５ＧＢ（Giga byte）以上の記録容量を有し、例えばＢＤは、２時間のハイビジョン放送の全編を１枚のディスクに録画が可能であるため、これからのハイビション放送に対応可能な優れた性能を有している。このうち例えばＢＤは、現在普及しているＣＤやＤＶＤと同じ直径１２ｃｍの光ディスクがカートリッジに収納され、カートリッジのまま記録再生装置に挿入されて使用されている。ここでは、記録再生装置が備えるトレイにＢＤのカートリッジがセットされると、トレイが記録再生装置本体の内部にカートリッジを搬送し、本体内部に設けられている光ピックアップによってＢＤに対するデータの書き込みや、ＢＤからのデータの読み出しが実行される。また、近い将来には、カートリッジを用いないベアタイプのＢＤが市場に登場することが予想されている。
【０００３】
ＢＤを用いて記録再生を行う記録再生装置には、ＢＤへの情報の書き込みや読み出しを行うディスクトレイ装置が備えられる。ディスクトレイ装置は、ＢＤをセットするトレイを有し、そのトレイがローディングされて所定位置にＢＤを搬送することで、ディスクトレイ装置が備える光ピックアップにより、ＢＤへの情報書き込みや情報の読み出しを実行することができる。
【０００４】
カートリッジタイプのＢＤは、背面（記録再生層側）に開閉可能なシャッター機構が設けられていて、通常はシャッターが閉じられて保護され、光ピックアップによる情報の記録／再生時にはシャッターを開けてディスク媒体を露出させる必要がある。
ディスクトレイ装置において、トレイにセットされたＢＤがローディングされて記録／再生位置に搬送されるときに、ディスクトレイ装置が備えるシャッター開閉装置がＢＤ側のシャッター開閉用部材に作用し、ローディングに従ってＢＤのシャッターが開けられて、カートリッジ内のディスク媒体が露出する。また、ＢＤを取り出すときのイジェクト動作時には、トレイのイジェクト動作に応じて、ディスクトレイ装置のシャッター開閉装置が再度ＢＤのシャッター開閉用部材に作用し、ＢＤのシャッターが閉じられて保護される。
【０００５】
図７及び図８は、ディスクトレイ装置の一般的なシャッター開閉装置の機構及びその作用を説明するための図で、図７はＢＤをローディングするときの動作を説明するための図、図８はＢＤをイジェクトするときの動作を説明するための図である。図７及び図８は、ＢＤカートリッジ２０の上側パッケージを外してディスクを取り除いた状態の概略図を示している。
図７及び図８において、５１はリア側オープナー、５２は中央オープナー、５３はフロント側オープナー、２０はＢＤカートリッジ、２１はＢＤのシャッター開閉を行うシャッター部材、２１ａはシャッター部材の開口、２２はリア側溝部、２３は中央ギア部、２４はフロント側溝部、２５ａはＢＤのシャッター部材が備える第１のプレート、２５ｂはＢＤのシャッター部材が備える第２のプレート、２６はＢＤカートリッジが備える開口である。
【０００６】
上記リア側オープナー５１，中央オープナー５２，及びフロント側オープナー５３は、ディスクトレイ装置に備えられたシャッター開閉装置の要部を構成する部材である。またリア側溝部２２，中央ギア部２３，フロント側溝部２４を備えたシャッター部材２１と、該シャッター部材２１の作用により開口の開閉を行うプレート２５ａ，２５ｂとにより、ＢＤカートリッジ２０のシャッター開閉機構が実現される。
【０００７】
ＢＤカートリッジ２０には、回転可能なリング状のシャッター部材２１が設けられていて、このシャッター部材２１の外周側に、リア側溝部２２，中央ギア部２３，及びフロント側溝部２４が設けられている。そして、これらリア側溝部２２，中央ギア部２３，及びフロント側溝部２４が外部からの作用を受けてシャッター部材２１が回動することにより、該シャッター部材２１の下側に設けられているプレート２５ａ，２５ｂが連動して動作することでシャッターの開閉が行われるようになっている。このシャッター部材２１には、開口２１ａが設けられている。またＢＤカートリッジ２０の背面側には、開口２６が予め設けられている。
【０００８】
上記のシャッター開閉装置は、ディスクトレイ装置のベースシャーシの側面に固定されていて、トレイのローディング及びイジェクトにより、トレイにセットされたＢＤカートリッジ２０のシャッター部材２１に作用するようになっている。
上記のリア側溝部２２，中央ギア部２３，及びフロント側溝部２４は、それぞれＢＤカートリッジ２０に対して進退する方向に変位が可能に取り付けられ、スプリングバネによってＢＤカートリッジ２０に向かって付勢されている。
【０００９】
ＢＤカートリッジ２０をローディングする場合、トレイにセットしたＢＤカートリッジ２０は矢印Ｌの方向に進んでいく。トレイのローディング及びイジェクトの動作は、ディスクトレイ装置に設けられたトレイ搬送機構によって機械的に実行される。このトレイのローディング動作に従って、まずシャッター開閉装置のフロント側オープナー５３が、ＢＤカートリッジ２０のシャッター部材２１に設けられたフロント側溝部２４に係合する（図７（Ａ））この時点では、シャッター部材２１に設けられたプレート２５ａ，２５ｂは閉じられている。
【００１０】
そしてフロント側オープナー５３とフロント側溝部２４との係合により、シャッター部材２１がトレイの移動に伴って矢印Ｒ１方向に回動していき、シャッター開閉装置の中央オープナー５２と、ＢＤカートリッジ２０の中央ギア部２３とが係合し、フロント側オープナー５３は、フロント側溝部２４から離れていく（図７（Ｂ））。
この時点で、シャッター部材２１に設けられたプレート２５ａ，２５ｂの間隔が開き、開口２６と重なる部分（斜線部分）でディスク媒体の記録再生面側が一部露出する。
【００１１】
そしてさらにトレイが移動すると、シャッター開閉装置のリア側オープナー５１が、ＢＤカートリッジ２０のリア側溝部２２に係合し、シャッター部材２１をさらに回動させてＢＤカートリッジ２０のシャッターを完全に解放させる（図７（Ｃ））。図７（Ｃ）の位置で、ディスクトレイのターンテーブルとクランパーによってＢＤカートリッジ２０内のディスク媒体がチャッキングされる。
この時点では、シャッター部材２１に設けられたプレート２５ａ，２５ｂが完全に開き、開口２６のほぼ全面領域（斜線部分）が解放されてディスク媒体の記録再生面側が露出し、ディスクトレイ装置の光ピックアップによる情報の記録／再生が可能となる。
【００１２】
図８におけるイジェクト動作の場合は、上記ローディング時と逆の動作が行われ、ＢＤカートリッジのシャッターが閉められた状態でＢＤカートリッジを取り出すことができる。すなわち、図８（Ａ）のディスク媒体のチャッキング位置から、矢印Ｅ方向にトレイがイジェクトされると、ＢＤカートリッジ２０のリア側溝部２２に係合しているリア側オープナー５１の作用によって、シャッター部材２１が矢印Ｒ２方向に回動する。
【００１３】
そしてさらにトレイが矢印Ｅ方向に移動していくと、シャッター開閉装置の中央オープナー５２とＢＤカートリッジ２０の中央ギア部２３が係合し、シャッター部材２１を継続して回動させる（図８（Ｂ））。シャッター部材２１に設けられたプレート２５ａ，２５ｂはイジェクト動作に従って閉まっていく。
そしてさらにトレイが矢印Ｅ方向に移動し、シャッター開閉装置のフロント側オープナー５３がＢＤカートリッジ２０のフロント側溝部２４に係合し、ＢＤカートリッジ２０の開口２６が、プレート２５ａ，２５ｂを備えたシャッター部材２１によって完全に塞がれる（図８（Ｃ））。
【００１４】
図９は、上記のようなシャッター開閉装置の構成例を説明するための斜視図で、ディスクトレイ装置のベースシャーシに設置されるシャッター開閉装置の内側の斜視図を図９（Ａ）に、シャッター開閉装置の外側の斜視図を図９（Ｂ）に示すものである。図９において、５０は各オープナーを設置するパネル、６１，６２，６３，６４はコイルによるバネ、６５はシャッター開閉装置の外側表面を押さえる押さえ板で、その他、図７及び図８と同一の要素にはこれらと同じ符号が付してある。
【００１５】
図９において、リア側オープナー５１，中央オープナー５２，及びフロント側オープナー５３は、上記図７及び図８に示すようにトレイのローディング／イジェクト動作に応じてＢＤカートリッジのシャッター開閉機構に作用して、ＢＤカートリッジのシャッターの開閉を行う。
【００１６】
上述したように、上記のリア側オープナー５１，中央オープナー５２，及びフロント側オープナー５３は、それぞれＢＤカートリッジ２０に対して進退する方向に変位が可能に取り付けられ、ＢＤカートリッジ２０に向かって付勢されている。
具体的には、図９に示すように、パネル５０の所定の位置に、リア側オープナー５１，中央オープナー５２，及びフロント側オープナー５３がそれぞれパネル５０の外側から差し込まれている。これら各オープナー５１，５２，５３は、パネル５０の内側壁部に当接して所定の位置より内側には飛び出さないようになっている。そして各オープナー５１，５２，５３の頂部が、その位置でＢＤカートリッジに作用するようになっている。
【００１７】
そしてパネル５０の裏側では、各オープナー５１，５２，５３の背面側（パネル外側）にそれぞれバネ６１，６２，６３，６４が配設され、押さえ板６５によって押さえられている。押さえ板６５はパネル５０に取り付けられ、各バネ６１〜６４を圧縮した状態で保持する。このバネの付勢力により、各オープナー５１，５２，５３が、パネル５０の内側（すなわちＢＤカートリッジ側）に付勢される。
【００１８】
図７及び図８に示すトレイのローディング動作やイジェクト動作時に、ＢＤカートリッジ２０のシャッター部材２１に各オープナー５１，５２，５３が係合する際、これら係合とその解除とを円滑に行うことができるように、各オープナー５１，５２，５３がＢＤカートリッジ方向に付勢され、かつその付勢力に抗してパネル外側方向に変位可能に構成されている。
【００１９】
例えば特許文献１では、カートリッジディスクとベアディスクの両方を搬送可能な搬送機構において、カートリッジの搬送を円滑に行うようにした構成が開示されている。ここでは、カートリッジディスクを搬送するときにクランパーが当たらない位置までクランパーを上方に逃がし、その後にクランパーのホルダー部材を回動させてクランパーをディスク媒体に押しつけるようにして、搬送機構の薄型を図った構成が開示されている。
【特許文献１】特開平１０−３１２６２８号公報
【発明の開示】
【発明が解決しようとする課題】
【００２０】
上記のようなシャッター開閉装置では、コイルによるバネ６１〜６４を用いて、各オープナー５１〜５３への付勢力を付与している。
各オープナー５１〜５３がＢＤカートリッジ２０のシャッター部材２１に作用してパネル外側方向に一旦変位し、バネ６１〜６４の付勢力によって再度パネル内側方向に戻るとき、バネの付勢力が強いために、各オープナー５１〜５３とパネル５０の壁部、あるいは各オープナー５１〜５３とＢＤカートリッジのシャッター部材２１とが当接する衝撃音（“パチン”というような音）が発生し、使用上気になる問題となる。
【００２１】
また、例えば、フロント側オープナー５３では、ローディング動作の際は、ＢＤカートリッジ２０のシャッター部材２１に対してまっすぐ後方に後退してもよいが、イジェクト動作の際には、若干フロント側に傾きながら後退する方が好ましい。すなわち、イジェクト時には、イジェクト動作の最後（図８（Ｃ））で、フロント側オープナー５３がシャッター部材２１のフロント側溝部２４の回動に追従しながら、最後までシャッター部材２１を回動させることにより、ＢＤカートリッジ２０のシャッターを完全に閉め切ることができる。しかしながら、従来のコイルのバネを使用した形態では、このような動きを円滑に行うことは難しい。
【００２２】
また上記特許文献１には、カートリッジディスクの円滑搬送の思想はあるものの、上記のようなシャッター開閉装置における課題については、一切触れられていない。
【００２３】
本発明は、上述のごとき実情に鑑みてなされたもので、ブルーレイディスク（ＢＤ）等のシャッター機構を備えたカートリッジのシャッター開閉を行う際に、シャッターオープナーによる衝撃音の発生を抑えて静かな動作を実現し、かつシャッター開閉を確実に実行できるようにしたディスクトレイ装置、及び該ディスクトレイ装置を備えた記録再生装置を提供することを目的とする。
【課題を解決するための手段】
【００２４】
上記課題を解決するために、第１の技術手段は、シャッター機構を備えたカートリッジに収容された光ディスクを搬送するトレイと、カートリッジがトレイにセットされたときに、トレイのローディング／イジェクト動作に応じてシャッター機構を開閉するためのシャッター開閉装置とを有するディスクトレイ装置であって、シャッター開閉装置は、カートリッジのシャッター機構が備える溝部及びギア部に係合する部材であるオープナーを有し、オープナーは、溝部及びギア部が通過する通過路上で、該オープナーの一部がギア部または溝部に作用する位置に設置されるとともに、カートリッジに対して進退する方向に変位が可能に取り付けられ、シャッター開閉装置は、カートリッジに向かってオープナーを付勢する付勢手段を有し、付勢手段として、樹脂製の弾性体を用いることを特徴としたものである。
【００２５】
第２の技術手段は、第１の技術手段において、オープナーは、ディスクトレイ装置のフロント側に設けられるフロント側オープナーと、ディスクトレイ装置のリア側に設けられるリア側オープナーと、フロント側オープナーとリア側オープナーとの間に設けられる中央オープナーの３つの部材から構成されていることを特徴としたものである。
【００２６】
第３の技術手段は、第１または第２の技術手段において、搬送されるカートリッジにオープナーが押圧され、オープナーがカートリッジの反対方向に変位した後、再度前記付勢手段の付勢力により元の位置に戻るとき、樹脂製の弾性体の付勢力が最適化されていることにより、オープナーが設置されるシャッター開閉装置の壁部との衝撃が緩和され、オープナーと壁部との衝突による音が抑制されることを特徴としたものである。
【００２７】
第４の技術手段は、第１ないし第３のいずれか１の技術手段において、付勢手段として、樹脂製の弾性体と、コイル状のバネとを併用することを特徴としたものである。
【００２８】
第５の技術手段は、第２ないし第４のいずれか１の技術手段において、一つのオープナーの部材に対して、樹脂製の弾性体をカートリッジの搬送方向に複数配設し、複数の弾性体の硬度を、互いに異なるように設定することを特徴としたものである。
【００２９】
第６の技術手段は、第５の技術手段において、フロント側オープナーに対して、二つの弾性体を配設し、二つの弾性体のうち、フロント側の弾性体の硬度より、リア側の弾性体の硬度を大きくしたことを特徴としたものである。
【００３０】
第７の技術手段は、第１ないし第６のいずれか１の技術手段において、樹脂製の弾性体は、マイクロセル構造を有するウレタンフォームであることを特徴としたものである。
【００３１】
第８の技術手段は、第１ないし第７のいずれか１の技術手段におけるディスクトレイ装置を備え、ディスクトレイ装置により搬送されるブルーレイディスクに対する情報の記録と、ブルーレイディスクに記録された情報の再生を行うことを特徴としたものである。
【発明の効果】
【００３２】
本発明によれば、ブルーレイディスク（ＢＤ）カートリッジのシャッター開閉を行う際に、シャッターオープナーによる衝撃音の発生を抑えて静かな動作を実現し、かつシャッター開閉を確実に実行できるようにしたディスクトレイ装置、及び該ディスクトレイ装置を備えた記録再生装置を提供することができる。
【発明を実施するための最良の形態】
【００３３】
以下に本発明のディスクトレイ装置の実施形態を添付された図面を参照しながら具体的に説明する。なお、実施形態を説明するための全図において、従来例と同様の機能を有する部分には同じ符号を付けその繰り返しの説明は省略する。
図１は、本発明のディスクトレイ装置の構成例を示す斜視概略図である。図１において、１はベースシャーシ、２はブルーレイディスク（ＢＤ）等の光ディスクを保持して回転させるターンテーブル、３はターンテーブルの回転を制御するスピンドルモータ、４は光ディスクの記録再生層に光スポットを形成して、データの書き込み及び読み出しを行う光ピックアップ、５はブルーレイディスクのカートリッジを開閉させるためのシャッター開閉装置である。
【００３４】
さらに図１において、１０は光ディスクを搬送するためのトレイ、１１は光ディスクは押さえるための第１の押さえレバー、１２は同じく光ディスクを押さえるための第２の押さえレバー、１３は縦置き時にベアディスクを保持するためのディスクホルダー、１４はトレイの移動に応じてクランパー（図示せず）を変位させるためのトレイカム部である。
【００３５】
図１は、トレイ１０がベースシャーシ１の内部にローディングされた状態を示している。ベースシャーシ１上に設けられているトレイ搬送機構が動作することにより、矢印Ａ方向にトレイ１０が引き出されて、ユーザがＢＤカートリッジをセットすることができる。
そして再びトレイ搬送機構を動作させると、トレイ１０とともにＢＤカートリッジがベースシャーシ１の内部にローディングされる。ＢＤカートリッジを排出するときは、再度トレイ１０を矢印Ａ方向に引き出す。
【００３６】
図２は、ＢＤカートリッジ２０をトレイ１０に装着してローディングしたときの状態を示す図である。図２の状態では、ＢＤカートリッジ２０は、シャッター開閉装置５が備えるオープナーにより、背面（ディスク媒体の記録再生面）側のシャッターが解放されている。
【００３７】
図１及び図２のディスクトレイ装置は、上記のようなカートリッジタイプのディスクのみならず、ベアディスクにも対応可能になっている。実際には、図１のベースシャーシ１に対して、図示しないクランパープレートが取り付けられ、クランパープレートに設けられたクランパーが動作することにより、ローディングされたベアディスク、もしくは上面（ディスク媒体のレーベル面）が解放されたカートリッジディスクを、ターンテーブル２との間でクランプ（チャッキング）する。この状態で、光ピックアップ４による光ディスクへのデータの書き込みや光ディスクからのデータの読み込みを行うことができる。
【００３８】
また、光ディスクの前面が非開口のカートリッジタイプを用いる場合は、トレイカム部１４がクランパー動作機構に当接しても、クランパー３０の変位が止められて、光ディスクのチャッキングが阻害されないように構成されている。この場合は、カートリッジに内蔵されているクランパーとターンテーブル３とによって光ディスクがチャッキングされる。
【００３９】
本実施形態の特徴は、シャッター開閉装置における従来の問題を解決したオープナーの付勢部材にある。
図３は、本発明のディスクトレイ装置に適用されるシャッター開閉装置の構成例を説明するための斜視図で、ディスクトレイ装置のベースシャーシに設置されるシャッター開閉装置の内側の斜視図を図３（Ａ）に、シャッター開閉装置の外側の斜視図を図３（Ｂ）に示すものである。図３において、５４はリア側オープナー５１を背面側（外側）から支持する弾性体、５５，５６は中央オープナー５２を背面側（外側）から支持する弾性体、５７，５８はフロント側オープナー５３を背面側（外側）から支持する弾性体である。パネル５０の外側には、図９に示したような押さえ板６５が取り付けられる。
【００４０】
本実施形態のシャッター開閉装置も、従来例の図９に示したように、３つのオープナー５１〜５３を備えている。図４は、個々のオープナーの構成例を示す斜視図で、リア側オープナー５１を図４（Ａ）に、中央オープナー５２を図４（Ｂ）に、フロント側オープナー５３を図４（Ｃ）に示すものである。
そして、これらオープナー５１〜５３によるＢＤカートリッジ２０のシャッター開閉は、図７及び図８に示す動作にて実行される。
【００４１】
ここで本実施形態では、各オープナー５１〜５３を背面側から支持する部材として、従来例のコイルによるバネの代わりに、樹脂製の弾性体５４〜５８を用いている。
これら樹脂製の弾性体５４〜５８の硬度を最適に制御することにより、従来問題となっていた衝撃音の発生や、シャッター開閉動作の不安定性を解消し、静かで動作信頼性の高いシャッター開閉装置を備えたディスクトレイ装置を得ることができるようになる。ここでは、弾性体５４〜５８の硬度を最適化することによって、変形した弾性体５４〜５８が復元するときの速度（反発力）を最適化することができる。
【００４２】
樹脂製の弾性体５４〜５８は、その所望の特性に応じて適宜素材を選択することができる。例えば、樹脂材料としてポロン（商品名）を適用することができる。ポロンは、圧縮残留歪みが小さく、優れたエネルギー吸収性を持ち、高反発，高シール性，非汚染性等の特徴を備えたマイクロセルウレタンフォームである。勿論、本発明では、上記素材に限定されることなく、樹脂製の弾性体５４〜５８の材料を適宜選択することができる。
【００４３】
樹脂製の弾性体５４〜５８を使用することにより、一旦外側方向に後退したオープナー５１〜５３が内側方向に戻る際に、従来のコイルを用いたバネによる急激な動きが生じることがなく、弾性体５４〜５８の反発力により緩やかにオープナー５１〜５３が元の位置に戻る。これにより、オープナー５１〜５３が、パネル５０の壁部やＢＤカートリッジ２０のシャッター部材２１に急激に当接しなくなるため、従来問題となっていた音の発生が解消される。また、弾性体自体にも一般に吸音特性があるため、音の発生をさらに抑えることができる。例えば、上記のようなマイクロセル構造体や他の発泡体を用いれば、その吸音特性はさらに高いものとなる。
【００４４】
そしてさらに、本実施形態では、樹脂製の弾性体５４〜５８の硬度をその設置場所によって適宜変更することができる。例えば、前述したように、フロント側オープナー５３は、イジェクト動作の際には、若干フロント側に傾きながら後退する方が好ましい。すなわち、イジェクト時には、イジェクト動作の最後（図８（Ｃ））で、フロント側オープナー５３がシャッター部材２１のフロント側溝部２４の回動に追従しながら、最後までシャッター部材２１を回動させることにより、ＢＤカートリッジ２０のシャッターを完全に閉め切ることができる。
【００４５】
このような動作を信頼性もって実現するために、フロント側オープナー５３の背面側（外側）に配設する樹脂製の弾性体５７、５８のうち、フロント側の弾性体５８を相対的に柔らかく（硬度を低く）し、リア側の弾性体５７を相対的に堅く（硬度を高く）する。このような構成にすると、ローディング時には、リア側の弾性体５７が相対的に強く押されてフロント側オープナー５３はほぼ傾かずに後退していくが、逆にイジェクト時には、フロント側の弾性体５８が相対的に柔らかいため、フロント側オープナー５３がフロント側に傾きながら後退することになる。こうして、フロント側オープナー５３がシャッター部材２１のフロント側溝部２４の回動に追従しながら、最後までシャッター部材２１を回動させることにより、ＢＤカートリッジ２０のシャッターを完全に閉め切ることができる。
【００４６】
図５は、本発明のディスクトレイ装置に適用されるシャッター開閉装置の他の構成例を説明するための斜視図で、ディスクトレイ装置のベースシャーシに設置されるシャッター開閉装置の内側の斜視図を図５（Ａ）に、シャッター開閉装置の外側の斜視図を図５（Ｂ）に示すものである。
本構成例は、図３の構成例に用いた樹脂製の弾性体と従来例で示したコイルによるバネとを併用した例を示すものである。図５の例では、リア側オープナー５１とフロント側オープナー５３に背面側（外側）には、図３に示すような樹脂製の弾性体５４，５７，５８を用い、中央オープナー５２の背面側（外側）には、従来の圧縮コイルによるバネ６２，６３を用いる。中央オープナー５２は、その長い形状から、他のオープナーほど衝撃音が発生しにくいため、コイルタイプのバネ６２，６３を用いて構成してもよい。このときに、バネ６２，６３の反発力を最適化しておくとよい。
【００４７】
またフロント側オープナー５３には、バネ６４と弾性体５７，５８とをともに備えるようにしてもよい。バネ６４で基礎となる反発力を付与し、樹脂弾性体５７，５８で前後の反発力のバランスを整えるようにすることができる。
なお、バネと樹脂弾性体を併用する構成は、上記の配置に限定されることなく、オープナーの形状、パネルの形状、樹脂やバネの物性等に応じて適宜設定することができる。
【００４８】
以上の構成により、本実施形態のディスクトレイ装置は、ブルーレイディスク（ＢＤ）カートリッジのシャッター開閉を行う際に、シャッターオープナーによる衝撃音の発生を抑えて静かな動作を実現し、かつシャッター開閉を確実に実行することができる。
【００４９】
上記のごとくのディスクトレイ装置を使用して、記録再生装置を提供することができる。図６は、記録再生装置の構成例を説明するための図である。記録再生装置１００は、複数の記録媒体を適宜使い分けることができるように構成されている。例えば、図６の例では、記録再生装置１００には、ＢＤ記録再生装置１０１、ＤＶＤ記録再生装置１０２、ＨＤＤ記録再生装置１０３が備えられ、これら複数の記録媒体が選択的に使用可能となっている。また、記録再生装置１００にチューナ部を設けることで、例えば、テレビ放送されたコンテンツ等を記録媒体に記録することができる。また、複数の記録媒体間におけるデータのダビングやムーブなどの処理も実行できる。
【００５０】
記録再生装置１０１には、ディスクタイプの記録媒体をセットするためのディスクトレイ装置が設けられ、例えば、図６の例では、ＤＶＤ用のディスクトレイ装置と、ＢＤ用のディスクトレイ装置が個々に設けられ、ユーザはそれぞれのディスクトレイ装置を利用して、該当する各記録媒体を記録再生装置内に搬送させることができるようになっている。これらディスクトレイ装置に上記の実施形態のごとくのディスクトレイ装置を適用することにより、ブルーレイディスク（ＢＤ）カートリッジのシャッター開閉を行う際に、シャッターオープナーによる衝撃音の発生を抑えて静かな動作を実現し、かつシャッター開閉を確実に実行できるようした記録再生装置を得ることができる。
【図面の簡単な説明】
【００５１】
【図１】本発明のディスクトレイ装置の構成例を示す斜視概略図である。
【図２】ＢＤカートリッジをトレイに装着してローディングしたときの状態を示す図である。
【図３】本発明のディスクトレイ装置に適用されるシャッター開閉装置の構成例を説明するための斜視図である。
【図４】個々のオープナー個々の構成例を示す斜視図である。
【図５】本発明のディスクトレイ装置に適用されるシャッター開閉装置の他の構成例を説明するための斜視図である。
【図６】記録再生装置の構成例を説明するための図である。
【図７】ディスクトレイ装置の一般的なシャッター開閉装置の機構及びその作用を説明するための図である。
【図８】ディスクトレイ装置の一般的なシャッター開閉装置の機構及びその作用を説明するための図である。
【図９】シャッター開閉装置の構成例を説明するための斜視図である。
【符号の説明】
【００５２】
１…ベースシャーシ、２…ターンテーブル、３…スピンドルモータ、４…光ピックアップ、５…シャッター開閉装置、１０…トレイ、１４…トレイカム部、２０…ＢＤカートリッジ、２１…シャッター部材、２１ａ…開口、２２…リア側溝部、２３…中央ギア部、２４…フロント側溝部、２５ａ…第１のプレート、２５ｂ…第２のプレート、２６…開口、３０…クランパー、５０…パネル、５１…リア側オープナー、５２…中央オープナー、５３…フロント側オープナー、５４〜５８…樹脂製の弾性体、６１〜６４…バネ、６５…押さえ板、１００…記録再生装置、１０１…ＢＤ記録再生装置、１０２…ＤＶＤ記録再生装置、１０３…ＨＤＤ記録再生装置。
【図１】
2006155715.tif 000003
【図２】
2006155715.tif 000004
【図３】
2006155715.tif 000005
【図４】
2006155715.tif 000006
【図５】
2006155715.tif 000007
【図６】
2006155715.tif 000008
【図７】
2006155715.tif 000009
【図８】
2006155715.tif 000010
【図９】
2006155715.tif 000011